(57)【要約】  【課題】  爪部を地面の目標位置に正確に打ち込んで雑草のみを確実に掻き取ることができると共に、力の弱い者でも確実に把持することができ、爪部を地面に打ち込んで地面に生えた雑草を掻き取って除去する作業を安全に且つ容易に行うことができる雑草除去具を提供することを目的とする。  【解決手段】  本考案の雑草除去具１は、ａ．掌当接部２と、掌当接部２の前端部に略Ｌ字状に突設された掻き取り部３と、掻き取り部３の先端部に並設された複数の爪部４と、を有する金属板と、ｂ．掌当接部２の上面に環状又はアーチ状に配設された保持帯７と、を備えた構成を有する。【選択図】  図１
0003115131.tif 000002
【実用新案登録請求の範囲】
【請求項１】
ａ．掌当接部と、前記掌当接部の前端部に略Ｌ字状に突設された掻き取り部と、前記掻き取り部の先端部に並設された複数の爪部と、を有する金属板と、
ｂ．前記掌当接部の上面に環状又はアーチ状に配設された保持帯と、
を備えていることを特徴とする雑草除去具。
【請求項２】
前記爪部の先端部に形成された尖鋭状又は多角形状若しくは湾曲状の掘り出し刃部及び／又は複数の尖鋭状の土切り刃部を備えていることを特徴とする請求項１に記載の雑草除去具。
【請求項３】
各々の前記爪部の間に逆Ｖ字状の谷部が形成されていることを特徴とする請求項１又は２に記載の雑草除去具。
【請求項４】
前記掌当接部の後端部に下方に傾斜又は湾曲して形成された手首逃げ部を備えていることを特徴とする請求項１乃至３の内いずれか１項に記載の雑草除去具。
【請求項５】
前記保持帯の一端側及び他端側に形成された保持帯側挿通孔と、
前記掌当接部に形成された掌当接部側挿通孔と、
重ね合わせた前記保持帯の一端側及び他端側の前記保持帯側挿通孔と前記掌当接部側挿通孔とに連挿される固定ボルト部と、
前記固定ボルト部に螺合し前記保持帯の一端側及び他端側を前記掌当接部の上面又は下面に固定するナット部と、
を備え、
前記掌当接部側挿通孔が、前記掌当接部の幅方向に２乃至複数形成されていると共に前記掌当接部の前後方向に２列乃至複数列形成されていることを特徴とする請求項１乃至４の内いずれか１項に記載の雑草除去具。
【請求項６】
前記固定ボルト部が挿通される押え板側挿通孔を有し前記掌当接部の幅と略同一幅に形成され前記保持帯の一端側及び他端側を押える押え板を備えていることを特徴とする請求項５に記載の雑草除去具。
【請求項７】
前記保持帯の一端側又は他端側の少なくとも一方に２乃至複数の前記保持帯側挿通孔が形成されていることを特徴とする請求項５又は６に記載の雑草除去具。
【考案の詳細な説明】
【技術分野】
【０００１】
本考案は、庭や公園、道等の地面に生えた雑草を掻き取って除去するための雑草雑草除去具に関するものである。
【背景技術】
【０００２】
従来、庭や公園、道等の地面に生えた雑草を除去するために、鎌を用いて雑草を刈り取ったり鍬を用いて周辺の地面を掘り起こしながら雑草を掻き取ったりしていた。しかしながら、雑草を刈り取っただけでは根が残るので短期間で再び雑草が生えてきて刈り取り作業を頻繁に行わなければならず、また、鍬を用いた場合には雑草の根と共に地面の土を大量に掘り起こしてしまい掘り起こした土と雑草を分離したり土を埋め戻したりする作業が必要になり煩雑であると共に作業効率が悪かった。
【０００３】
このような問題点を解決するために、特許文献１には「柄部の先端部に配設された切刃形成部と掻刃形成部とを有し、切刃形成部は、先端部に向かって漸次薄肉且つ幅広に形成されると共に先端部に形成された切刃部を有し、掻刃形成部は、先端部に向けって漸次薄肉に形成された複数の尖鋭状の掻刃部を有する草掻鍬」が記載されている。また、各々の掻刃部の先端部に複数の爪状部を形成することが記載されている。
【０００４】
また、特許文献２には「手の指に被覆される皮革又は布により形成された装着部材と、装着部材の下面に配設された薄鉄鋼板からなる爪部材と、爪部材の先端部に指の下方に突出するように形成された爪部と、を備えた爪付除草具」が記載されている。
【０００５】
【特許文献１】特開２００４−３３０４０号公報
【特許文献２】登録実用新案第３００３２２８号公報
【考案の開示】
【考案が解決しようとする課題】
【０００６】
しかしながら、上記従来の技術では以下のような課題を有していた。
（１）特許文献１の草掻鍬では、切刃形成部と掻刃形成部とが柄部の先端部に配設され、使用者は柄部の後端部近傍を握って使用するので、掻刃形成部を打ち込む目標とする位置が使用者の目から遠くなり、正確に目標位置に打ち込むことができず、雑草の根と共に大量の土を掘り起こし易く作業性に欠けるという課題を有していた。
（２）また、柄部の先端部近傍を握って使用すれば使用者の目から近い位置に打ち込むことができるが、打ち込む力が掻刃形成部に円滑に伝達せず、地面に深く打ち込むことはできないという課題を有していた。
（３）さらに、柄部を握って使用するので、使用者は柄部を強く握らなければ打ち込むことができず、女性や老人等の力の弱い者には使用し難く使用性に欠けると共に、草掻鍬を振り上げた時或いは振り下ろした時に柄部が滑って手から離れ易く安全性に欠けるという課題を有していた。したがって、使用者は常に柄部を強く握ることに力を注がなければならず、深く打ち込むために大きく力を入れたり、打ち込んだ後勢いよく掻き取ったりすることができなかった。
（４）また、掻刃形成部の各掻刃の間には略矩形状の谷部が形成されているので、掻き取った雑草が谷部から逃げ易く、雑草を確実に掻き取ることができないという課題を有していた。
（５）特許文献２の爪付除草具では、爪部材を指に付けているだけなので地面に打ち込んだり雑草を根から掻き取ったりすることはできず、引き抜いた又は刈り取った雑草を引っ掛けて集めるだけなので、地面に生えた雑草を除去するには別の道具を使用しなければならず使用性に欠けるという課題を有していた。
【０００７】
本考案は、上記従来の課題を解決するもので、爪部を地面の目標位置に正確に打ち込んで雑草のみを確実に掻き取ることができると共に、力の弱い者でも確実に把持することができ、爪部を地面に打ち込んで地面に生えた雑草を掻き取って除去する作業を安全に且つ容易に行うことができる雑草除去具を提供することを目的とする。
【課題を解決するための手段】
【０００８】
上記課題を解決するために本考案の雑草除去具は、以下の構成を有している。
本考案の請求項１に記載の雑草除去具は、ａ．掌当接部と、前記掌当接部の前端部に略Ｌ字状に突設された掻き取り部と、前記掻き取り部の先端部に並設された複数の爪部と、を有する金属板と、ｂ．前記掌当接部の上面に環状又はアーチ状に配設された保持帯と、を備えた構成を有している。
【０００９】
この構成により、以下のような作用を有する。
（１）環状の保持帯の内部又は掌当接部とアーチ状の保持帯との間に手を挿入するだけで曲げた指の指先を掻き取り部の前面に当接させ、雑草を指で掻き取るような感覚で爪部により雑草を掻き取ることができるので、作業者は前屈み等の無理な姿勢を取る必要がなく腰を下ろす等して自由な姿勢で作業でき、腰等への負担が少なく長時間作業しても疲れ難い。
（２）掌当接部を備えると共にその前端部に掻き取り部が略Ｌ字状に突設されているので、指で掻き取るような感覚で爪部を地面の目標とする位置に正確に打ち込むことができ雑草のみを確実に且つ容易に掻き取ることができる。
（３）使用者の手の甲が保持帯により保持されるので、作業者は強く握ろうとしなくても雑草除去具を確実に把持でき、力を入れ易く深く地面に打ち込むことができると共に、力を入れて打ち込んでも滑って外れることがなく、安心して使用することができる。
【００１０】
ここで、金属板としてはステンレス鋼、鉄、アルミニウム、軽合金等の金属板等が用いられる。金属板により形成しているので、掌当接部の前端部を略Ｌ字状に折り曲げて掻き取り部が形成されると共に、該掻き取り部の先端部を刃の大きい鋸歯状等に切断して複数の爪部を容易に形成できる。
保持帯は布や皮革等からなる帯状体により形成される。保持帯を掌当接部に固定する手段としては、ボルトナットによる螺着固定手段やビス止め等が用いられる。
【００１１】
本考案の請求項２に記載の考案は、請求項１に記載の雑草除去具であって、前記爪部の先端部に形成された尖鋭状又は多角形状若しくは湾曲状の掘り出し刃部及び／又は複数の尖鋭状の土切り刃部を備えた構成を有している。
【００１２】
この構成により、請求項１の作用に加え、以下のような作用を有する。
（１）爪部の先端部に土切り刃部が形成されているので、力の弱い者であっても爪部を容易に地面に打ち込むことができると共に、複数の土切り刃部間で雑草の根等を引っ掛けて容易に引き抜くことができる。
（２）掘り出し刃部が尖鋭状又は多角形状若しくは湾曲状に形成されているので、根等の周囲の土を容易に掘ることができ、根等を容易に掘り出すことができる。
【００１３】
ここで、掘り出し刃部としては、爪部の先端部を逆V字状等の尖鋭状に形成したもの、台形状等の多角形状に形成したもの、半円状や半楕円状、放物線状等の湾曲状に形成したもの等が用いられる。
また、土切り刃部としては、爪部の先端部に略M字状に２の尖鋭部を形成したものや爪部の先端部を刃の小さい鋸歯状に形成したもの等が用いられる。
なお、全ての爪部の先端部に掘り出し刃部を形成してもよく、又は、全ての爪部の先端部に土切り刃部を形成するか、若しくは、複数の爪部の内、１以上の爪部の先端部に掘り出し刃部を形成し、その他の爪部の先端部に土切り刃部を形成することができる。全てに土切り刃部を形成した場合は、地面の抵抗が小さくなり全ての爪部を容易に地面に打ち込むことできる。掘り出し刃部と土切り刃部を形成した場合は、複数の土切り刃部で引き抜き損ねた雑草の根等を掘り出し刃部によりその周囲の土と共に掘り出すことができるので、雑草を根から確実に除去することができる。特に、掘り出し刃部を右端部又は左端部の爪部の先端部に形成すれば、土切り刃部と掘り出し刃部とを状況に応じて容易に使い分けることができる。また、掘り出し刃部が使用者の手のひとさし指側の端部の爪部に形成されている場合は、掘り出し刃部を使用する際に力を入れ易く円滑に掘り出し作業を行うことができる。
【００１４】
本考案の請求項３に記載の考案は、請求項１又は２に記載の雑草除去具であって、各々の前記爪部の間にＶ字状の谷部が形成された構成を有している。
【００１５】
この構成により、請求項１又は２の作用に加え、以下のような作用を有する。
（１）爪部を地面に打ち込んだ状態で手前に引き雑草を爪部で掻き取るだけで、谷部に雑草の根元や根が挟まるので確実に雑草を引き抜くことができる。
【００１６】
ここで、谷部の開角度は２０°〜５０°に形成されることが好ましい。谷部の開角度が２０°より小さくなるにつれ雑草の根と共にその周辺の土を掘り起こし易くなり、５０°より大きくなるにつれ雑草を谷部に確実に挟むことができず使用性に欠けるためいずれも好ましくない。
【００１７】
本考案の請求項４に記載の考案は、請求項１乃至３の内いずれか１項に記載の雑草除去具であって、前記掌当接部の後端部に下方に傾斜又は湾曲して形成された手首逃げ部を備えた構成を有している。
【００１８】
この構成により、請求項１乃至３の内いずれか１項の作用に加え、以下のような作用を有する。
（１）使用者は雑草除去具を手で把持した際に手首を自由に曲げることができ、爪部の打ち込んだり雑草を掻き取ったりする動作を円滑に行うことができる。
【００１９】
ここで、手首逃げ部の傾斜角度は、２０°〜４０°に形成されることが好ましい。手首逃げ部の傾斜角度が２０°より小さくなるにつれ手首を曲げた時に手首逃げ部に接触し易くなり、４０°より大きくなるにつれ雑草を掻き取る際に手首逃げ部の先端部が地面等に接触して使い難くいずれも好ましくない。
【００２０】
本考案の請求項５に記載の考案は、請求項１乃至４の内いずれか１項に記載の雑草除去具であって、前記保持帯の一端側及び他端側に形成された保持帯側挿通孔と、前記掌当接部に形成された掌当接部側挿通孔と、重ね合わせた前記保持帯の一端側及び他端側の前記保持帯側挿通孔と前記掌当接部側挿通孔とに連挿される固定ボルト部と、前記固定ボルト部に螺合し前記保持帯の一端側及び他端側を前記掌当接部の上面又は下面に固定するナット部と、を備え、前記掌当接部側挿通孔が、前記掌当接部の幅方向に２乃至複数形成されると共に前記掌当接部の前後方向に２列乃至複数列形成された構成を有している。
【００２１】
この構成により、請求項１乃至４の内いずれか１項の作用に加え、以下のような作用を有する。
（１）掌当接部の上面又は下面に保持帯の一端側及び他端側を重ね、保持帯を掌当接部の上面側に周回させ、固定ボルト部を掌当接部側挿通孔と保持帯の一端側の保持帯側挿通孔と保持帯の他端側の保持帯側挿通孔とに連挿し、ナット部を固定ボルト部に螺合して締め付けることにより、保持帯を掌当接部に強固に固定してその上面に環状又はアーチ状に配設することができる。
（２）複数の掌当接部側挿通孔が、掌当接部の前後方向に２列乃至複数列形成されているので、使用者の手の大きさ等に合わせて保持帯の取り付け位置を前後に変えることができる。
【００２２】
本考案の請求項６に記載の考案は、請求項５に記載の雑草除去具であって、前記固定ボルト部が挿通される押え板側挿通孔を有し前記掌当接部の幅と略同一幅に形成され前記保持帯の一端側及び他端側を押える押え板を備えた構成を有している。
【００２３】
この構成により、請求項５の作用に加え、以下のような作用を有する。
（１）保持帯を掌当接部に取り付ける際に、保持帯の重なった一端側及び他端側を押え板で押えて固定ボルト部及びナット部により締め付けることにより、保持帯がねじれたり縒れたりすることを防止できる。
【００２４】
本考案の請求項７に記載の考案は、請求項５又は６に記載の雑草除去具であって、前記保持帯の一端側又は他端側の少なくとも一方に２乃至複数の前記保持帯側挿通孔が形成された構成を有している。
【００２５】
この構成により、請求項５又は６の作用に加え、以下のような作用を有する。
（１）保持帯の一端側や他端側をその長手方向に適宜ずらして固定ボルト部及びナット部により掌当接部に固定できるので、使用者の手の大きさ等に合わせて保持帯のアーチ部分を長くしたり短くしたりすることができる。
【考案の効果】
【００２６】
以上説明したように本考案によれば、以下のような有利な効果が得られる。
請求項１に記載の考案によれば、
（１）環状の保持帯の内部又は掌当接部とアーチ状の保持帯との間に手を挿入するだけで曲げた指の指先を掻き取り部の前面に当接させ、雑草を指で掻き取るような感覚で爪部により雑草を掻き取ることができる使用性に優れた雑草除去具を提供することができる。
（２）雑草除去具を手に装着して使用できるので、作業者は前屈み等の無理な姿勢を取る必要がなく腰を下ろす等して自由な姿勢で作業でき、腰等への負担が少なく長時間作業しても疲れ難い使用性に優れた雑草除去具を提供することができる。
（３）掌当接部を備えると共にその前端部に掻き取り部が略Ｌ字状に突設されているので、指で掻き取るような感覚で爪部を地面の目標とする位置に正確に打ち込むことができ雑草のみを確実に且つ容易に掻き取ることができる使用性に優れた雑草除去具を提供することができる。
（４）使用者の手の甲が保持帯により保持されるので、作業者は強く握ろうとしなくても雑草除去具を確実に把持でき、力を入れ易く深く地面に打ち込むことができる使用性に優れた雑草除去具を提供することができる。
（５）保持帯を備えているので、力を入れて打ち込んでも滑って外れることがなく、安心して使用することができる雑草除去具を提供することができる。
【００２７】
請求項２に記載の考案によれば、請求項１の効果に加え、
（１）爪部の先端部に土切り刃部が形成されているので、力の弱い者であっても爪部を容易に地面に打ち込むことができると共に、複数の土切り刃部間で雑草の根等を引っ掛けて容易に引き抜くことができる雑草除去力の高い雑草除去具を提供することができる。
（２）掘り出し刃部が尖鋭状又は多角形状若しくは湾曲状に形成されているので、根等の周囲の土を容易に掘ることができ、根等を容易に掘り出すことができる雑草除去具を提供することができる。
【００２８】
請求項３に記載の考案によれば、請求項１又は２の効果に加え、
（１）谷部を備えているので、爪部を地面に打ち込んだ状態で手前に引き雑草を爪部で掻き取るだけで、谷部に雑草の根元や根が挟まり確実に雑草を引き抜くことができる確実性に優れた雑草除去具を提供することができる。
【００２９】
請求項４に記載の考案によれば、請求項１乃至３の内いずれか１項の効果に加え、
（１）手首逃げ部を備えているので、使用者は雑草除去具を手で把持した際に手首を自由に曲げることができ、爪部の打ち込んだり雑草を掻き取ったりする動作を円滑に行うことができる使用性に優れた雑草除去具を提供することができる。
【００３０】
請求項５に記載の考案によれば、請求項１乃至４の内いずれか１項の効果に加え、
（１）複数の掌当接部側挿通孔が、掌当接部の前後方向に２列乃至複数列形成されているので、使用者の手の大きさ等に合わせて保持帯の取り付け位置を前後に変えることができる汎用性に優れた雑草除去具を提供することができる。
【００３１】
請求項６に記載の考案によれば、請求項５の効果に加え、
（１）押え板を備えているので、保持帯を掌当接部に取り付ける際に、保持帯を押え板で押えて固定ボルト部及びナット部により締め付けることにより、保持帯がねじれたり縒れたりすることを防止できる使用性に優れた雑草除去具を提供することができる。
【００３２】
請求項７に記載の考案によれば、請求項５又は６の効果に加え、
（１）保持帯の一端側又は他端側に２乃至複数の保持帯側挿通孔が形成されているので、使用者の手の大きさ等に合わせて保持帯のアーチ部分を長くしたり短くしたりすることができる汎用性に優れた雑草除去具を提供することができる。
【考案を実施するための最良の形態】
【００３３】
以下、本考案の一実施の形態について、図１乃至図４を用いて説明する。
（実施の形態１）
図１（ａ）は本実施の形態１における雑草除去具の上面側斜視図であり、図１（ｂ）は本実施の形態１における雑草除去具の下面側斜視図であり、図２は本実施の形態１における雑草除去具の正面図である。
図中、１は本実施の形態１における雑草除去具、２は略矩形板状に形成された掌当接部、２ａは掌当接部２の後端部を下方に所定角度折り曲げて形成された手首逃げ部、３は掌当接部２の前端部を略Ｌ字状に折り曲げて形成され下方に突設された掻き取り部、４は掻き取り部３の先端部に並設された複数の爪部、５は各々の爪部４の先端部を略Ｖ字状に切り欠いて形成された尖鋭状の土切り刃部、６は各々の爪部４の間に形成された逆Ｖ字状の谷部、７は掌当接部２の上面にアーチ状に配設された保持帯、８は掌当接部２の幅と略同一幅に形成され掌当接部２の下面側において保持帯７の一端側及び他端側を押える押え板、９は掌当接部２の幅方向に複数が並設形成されると共に掌当接部２の前後方向に複数列配設された掌当接部側挿通孔、１０は重ね合わせた保持帯７の一端側及び他端側並びに押え板８に各々形成された後述の挿通孔と掌当接部側挿通孔９とに連挿された固定ボルト部、１１は固定ボルト部９に螺合し保持帯７の一端側及び他端側を掌当接部２の下面に固定するナット部である。
ここで、掌当接部２、手首逃げ部２ａ、掻き取り部３、爪部４、及び土切り刃部５は、ステンレス鋼、鉄、アルミニウム、軽合金等の金属板により一体形成されている。手首逃げ部２ａは掌当接部２の後端部を下方に２０°〜４０°程度折り曲げて形成されている。これにより、使用者は雑草除去具１を手で把持した際に手首を自由に曲げることができ、大きな力を入れなくてもスナップを利かせて爪部４を地面に深く打ち込むことができる。掻き取り部３は掌当接部２の前端部を下方に略９０°折り曲げて形成されている。爪部４は掻き取り部３の先端部を歯の大きい鋸歯状に切断して形成されている。なお、爪部４は掻き取り部３に対して掌当接部２側に５°〜２０°程度折り曲げられている。これにより、爪部４を地面に打ち込んだ後、手を手前に引いて雑草を掻き取る際に、雑草が爪部４から逃げ難く確実に引き抜くことができる。また、爪部４の先端部は略Ｖ字状に切断され２個の土切り刃部５が形成されている。爪部４の間には開角度が２０°〜５０°のＶ字状の谷部が形成されている。これにより、谷部６に雑草の根元や根が挟まって確実に引き抜くことができる。
【００３４】
以上のように構成された本実施の形態１における雑草除去具１について、以下保持帯７の取り付け方法を図３を用いて説明する。
図３は保持帯の取り付け動作を示す要部分解斜視図である。
図３において、７ａ，７ｂは保持帯７の一端側及び他端側、９ａ，９ｂ，９ｃは掌当接部挿通孔、１２ａは保持帯７の一端側７ａに長手方向に複数が並設形成された保持帯側挿通孔、１２ｂは保持帯７の他端側７ｂに長手方向に複数が並設形成された保持帯側挿通孔、１３は押え板８に長手方向に複数が並設形成された押え板側挿通孔である。
保持帯７を掌当接部２に取り付けるには、まず、掌当接部２の下面側に保持帯７の一端側７ａを重ね、保持帯７を掌当接部２の上面側に周回させその他端側７ｂを一端側７ａの下部に重ねる。次に、押え板８を保持帯７の他端側７ｂの下部に重ねる。このとき、掌当接部側挿通孔９ａと保持帯側挿通孔１２ａと保持帯挿通孔１２ｂと押え板側挿通孔１３とが各々連通するように位置合わせして重ね合わせる。次に、固定ボルト部１０を掌当接部側挿通孔９ａと保持帯側挿通孔１２ａと保持帯挿通孔１２ｂと押え板側挿通孔１３とに連挿した後、その下端部にナット部１１を螺合して締め付ける。このようにして、保持帯７が掌当接部２の上面にアーチ状に配設される。
【００３５】
なお、使用者の手の大きさ等に合わせて保持帯７の取り付け位置を前後に変えることができる。本実施の形態１においては、保持帯７を上述した位置より後方に取り付ける場合について説明する。この場合、掌当接部側挿通孔９ｂ（又は９ｃ）と保持帯側挿通孔１２ａと保持帯挿通孔１２ｂと押え板側挿通孔１３とが各々連通するように位置合わせして各々重ね合わせ、固定ボルト部１０を挿通孔９ｂ（又は９ｃ）、１２ａ、１２ｂ、１３に連挿し、ナット部１１を螺合して締め付ける。
また、保持帯側挿通孔１２ａ′や保持帯側挿通孔１２ｂ′に固定ボルト部１０が挿通されるように保持帯７の一端側７ａや他端側７ｂをずらして重ね合わせることにより、保持帯７のアーチ部分を短くして、使用者の手の大きさ等に合わせることもできる。
【００３６】
次に、雑草除去具１の使用方法を図４を用いて説明する。
図４は保持帯に手を挿入した状態の雑草除去具の側面図である。
図４において、Ｘは使用者の手、Ｙは使用者のひとさし指である。
雑草除去具１を使用する場合、まず、使用者は掌当接部２の上面に沿って後部側からアーチ状の保持帯７の内部に手Ｘを挿入する。次に、ひとさし指Ｙの第一関節が掌当接部２の前端部に当接する程度まで手Ｘを挿入し、ひとさし指Ｙ及びその他の指を曲げて、各指先を掻き取り部３の前面に当接させる。なお、親指Ｚは保持帯７の外部に出す。この状態で保持帯７が手Ｘの甲の指の根元部分に緩みなく接触し保持するので、作業者は強く握ろうとしなくても雑草除去具１を確実に把持できる。保持帯７に緩みがある場合は、保持帯７の取り付け位置を後方に変えたり、保持帯７のアーチ部分を短くしたりして緩みがなくなるよう適宜調整する。
【００３７】
雑草除去具１を使用して雑草を除去するには、まず、手Ｘに把持した雑草除去部１の爪部４を雑草が生えた地面に打ち込む。打ち込む深さは雑草の根が深い場合は深く打ち込み、浅い場合は浅く打ち込めばよい。なお、爪部４の先端部に土切り刃部５が形成されているので、手Ｘに大きく力を入れなくても容易に深く打ち込むことができる。次に、爪部４を地面に打ち込んだ状態で手Ｘを手前に引き雑草を爪部４で掻き取るようにして引き抜く。このとき、谷部６に雑草の根元や根が挟まるので確実に雑草を引き抜くことができる。
【００３８】
以上のように本実施の形態１における雑草除去具１は構成されているので、以下のような作用を有する。
（１）掌当接部２の上面と保持帯７との間に手Ｘを挿入するだけで曲げた指Ｙの指先が掻き取り部３の前面に当接すると共に、保持帯７が手Ｘの甲に緩みなく接触し保持するので、作業者は強く握ろうとしなくても雑草除去具１を確実に把持できる。
（２）雑草除去具１を手Xに装着して使用できるので、作業者は前屈み等の無理な姿勢を取る必要がなく腰を下ろす等して自由な姿勢で作業でき、腰等への負担が少なく長時間作業しても疲れ難く使用性に優れる。
（３）掌当接部２の前端部に掻き取り部３が略Ｌ字状に突設されているので、使用者は雑草を指で掻き取るような感覚で爪部４により雑草を掻き取ることができ、爪部４を地面の目標とする位置に正確に打ち込むことができ雑草のみを確実に且つ容易に掻き取ることができる。
（４）爪部４の先端部に土切り刃部５が形成されているので、力の弱い者であっても爪部４を容易に地面に深く打ち込むことができる。
（５）爪部４を地面に打ち込んだ状態で手前に引き雑草を爪部４で引っ掛けて掻き取るだけで、谷部６に雑草の根元や根が挟まるので確実に雑草を引き抜くことができる。
（６）使用者の手Ｘの甲が保持帯７により保持されるので、雑草除去具１を確実に把持することができ、力を入れ易く深く地面に打ち込むことができると共に、力を入れて打ち込んでも滑って外れることがなく、安心して使用することができる。
（７）手首逃げ部２ａを備えているので、使用者は雑草除去具１を手で把持した際に手首を自由に曲げることができ、爪部４の打ち込んだり雑草を掻き取ったりする動作を円滑に行うことができる。
（８）複数の掌当接部側挿通孔９，９ａ〜９ｃが、掌当接部２の前後方向に２列乃至複数列形成されているので、使用者の手の大きさ等に合わせて保持帯７の取り付け位置を前後に変えることができる。また、保持帯７の一端側７ａ又は他端側７ｂに２乃至複数の保持帯側挿通孔１２ａ，１２ｂが形成されているので、保持帯７を長手方向に適宜ずらして固定ボルト部１０及びナット部１１により掌当接部２に固定できるので、使用者の手Ｘの大きさ等に合わせて保持帯７のアーチ部分を長くしたり短くしたりすることができる。
（９）保持帯７を掌当接部２に取り付ける際に、保持帯７の重なった一端側７ａ及び他端側７ｂを押え板８で押えて固定ボルト部１０及びナット部１１により締め付けることにより、保持帯７がねじれたり縒れたりすることを防止できる。
（１０）掌当接部２と掻き取り部３と複数の爪部４と土切り刃部５とが金属板により一体に形成されているので、掌当接部２の前端部を略Ｌ字状に折り曲げて掻き取り部３を容易に形成できると共に、掻き取り部３の先端部を刃の大きい鋸歯状等に切断して複数の爪部４を容易に形成でき、爪部４の先端部を略Ｖ字状に切断して土切り刃部５を容易に形成できる。
【００３９】
（実施の形態２）
図５（ａ）は本実施の形態２における雑草除去具の上面側斜視図であり、図５（ｂ）は掘り出し刃部を示す要部拡大図であり、図５（ｃ）は掘り出し刃部の他の例を示す要部拡大図である。
図５において、２１は本実施の形態２における雑草除去具、４′は掻き取り部３の先端部に並設された複数の爪部４，４′の内、ひとさし指に対応する右端に形成された爪部、２２は爪部４′の先端部に尖鋭状に形成された掘り出し刃部、２２ａは爪部４′の先端部に略放物線状に形成された掘り出し刃部である。ここで、掘り出し刃部２２ａの形状は略放物線状に限らず、下端部を直線状にした略台形状等に形成してもよい。
【００４０】
以上のように構成された本実施の形態２における雑草除去具２１が実施の形態１と異なる点は、掘り出し刃部２２，２２ａを備えている点である。この相異により、実施の形態１の作用に加え、以下のような作用を有する。
（１）土切り刃部５，５間で引き抜き損ねた雑草の根等を掘り出し刃部２２，２２ａによりその周囲の土と共に掘り出すことができるので、雑草を根から確実に除去することができる。
（２）掘り出し刃部２２，２２ａが逆V字状等の尖鋭状、台形状等の多角形状、半円状や半楕円状、放物線状等の湾曲状に形成されているので、根等の周囲の土を容易に掘ることができ、根等を容易に掘り出すことができる。
（３）掘り出し刃部２２，２２ａが複数の爪部４，４′の内、右端部又は左端部の爪部４′の先端部に形成されているので、土切り刃部５と掘り出し刃部２２，２２ａとを状況に応じて容易に使い分けることができる。
（４）掘り出し刃部２２，２２ａが使用者の手のひとさし指側の端部の爪部４′に形成されているので、掘り出し刃部２２，２２ａを使用する際に力を入れ易く円滑に掘り出し作業を行うことができる。
【産業上の利用可能性】
【００４１】
以上説明したように、本考案は、庭や公園、道等の地面に生えた雑草を掻き取って除去するための雑草雑草除去具に関し、特に本考案によれば、爪部を地面の目標位置に正確に打ち込んで雑草のみを確実に掻き取ることができると共に、力の弱い者でも確実に把持することができ、爪部を地面に打ち込んで地面に生えた雑草を掻き取って除去する作業を安全に且つ容易に行うことができる雑草除去具を提供することができる。
【図面の簡単な説明】
【００４２】
【図１】（ａ）実施の形態１における雑草除去具の上面側斜視図（ｂ）実施の形態１における雑草除去具の下面側斜視図
【図２】実施の形態１における雑草除去具の正面図
【図３】保持帯の取り付け動作を示す要部分解斜視図
【図４】保持帯に手を挿入した状態の雑草除去具の側面図
【図５】（ａ）実施の形態２における雑草除去具の上面側斜視図（ｂ）掘り出し刃部を示す要部拡大図（ｃ）掘り出し刃部の他の例を示す要部拡大図
【符号の説明】
【００４３】
１  雑草除去具
２  掌当接部
２ａ  手首逃げ部
３  掻き取り部
４，４′  爪部
５  土切り刃部
６  谷部
７  保持帯
７ａ  保持帯の一端側
７ｂ  保持帯の他端側
８  押え板
９，９ａ，９ｂ，９ｃ  掌当接部側挿通孔
１０  固定ボルト部
１１  ナット部
１２ａ，１２ｂ  保持帯側挿通孔
１３  押え板側挿通孔
２１  雑草除去具
２２，２２ａ  掘り出し刃部
Ｘ  手
Ｙ  ひとさし指
Ｚ  親指
【図１】
0003115131.tif 000003
【図２】
0003115131.tif 000004
【図３】
0003115131.tif 000005
【図４】
0003115131.tif 000006
【図５】
0003115131.tif 000007